(57)【要約】【課題】  白黒文書中に複数の色付きマーク画像を含む原稿を読み取って画像を編集する場合に、同色系のマーク画像をまとめて指定できるようにすると共に、当該マーク画像の編集操作性を向上できるようにする。【解決手段】  原稿３０を読み取って原稿画像データＤinを取得するスキャナ本体１１ａと、ここで取得された原稿画像データＤinの中から色付きマーク画像データＤinを抽出すると共に、当該画像データＤinを同色系のマーク画像毎にグループ化する画像処理手段７０と、ここでグループ化された同色系のマーク画像毎に編集要求を受け付ける操作パネル４８と、ここで受け付けられた編集要求に基づいて画像処理手段７０を制御する制御手段１５とを備えるものである。予めグループ化した同色系のマーク画像毎に当該マーク画像の削除、元文書の補間、マーク画像の色変換等といった編集処理を簡単に実行することができる。【選択図】    図１
2005210494.tif 000002
【特許請求の範囲】
【請求項１】
白黒文書中に複数の色付きマーク画像を含む原稿を読み取って編集する装置であって、
前記原稿を読み取って原稿画像情報を取得する原稿読取手段と、
前記原稿読取手段によって取得された前記原稿画像情報の中から色付きマーク画像情報を抽出すると共に、当該色付きマーク画像情報を同色系のマーク画像毎にグループ化する画像処理手段と、
前記画像処理手段によりグループ化された前記同色系のマーク画像毎に編集要求を受け付ける操作手段と、
前記操作手段によって受け付けられた編集要求に基づいて前記画像処理手段を制御する制御手段とを備えることを特徴とする原稿読取編集装置。
【請求項２】
前記画像処理手段は、
前記原稿画像情報を所定の色座標系の色空間に展開して色付きマーク画像情報を抽出し、
抽出された前記色付きマーク画像情報の各々の画素間の離隔距離情報と、予め設定された所定の距離情報とを比較し、
当該比較結果に基づいて当該色付きマーク画像が同色系のマーク画像であるか否かを判別し、
判別された前記同色系のマーク画像の色情報を抽出すると共に当該色情報を同一グループに登録することを特徴とする請求項１に記載の原稿読取編集装置。
【請求項３】
前記画像処理手段は、
前記離隔距離情報が互いに近い距離関係にある色情報を同色系のマーク画像として判別することを特徴とする請求項１に記載の原稿読取編集装置。
【請求項４】
前記色座標系には、ＲＧＢ色座標系、Ｌａｂ色座標系又はＬｕｖ色座標系が用いられることを特徴とする請求項１に記載の原稿読取編集装置。
【請求項５】
前記色座標系において、前記色情報を表現する彩度方向及び明度方向が定義され、
前記画像処理手段は、
前記彩度方向よりも明度方向に長い所定の距離を設定して、前記同色系のマーク画像の色情報を検出することを特徴とする請求項１に記載の原稿読取編集装置。
【請求項６】
前記操作手段は、
前記色座標系における所定の距離に関して予め準備された何段階かの所定の距離の候補値の中から選択するように操作され、選択された前記所定の距離を色座標系に設定することを特徴とする請求項１に記載の原稿読取編集装置。
【請求項７】
前記原稿読取手段によって取得された原稿画像情報に基づいて原稿画像を表示する表示手段を備えることを特徴とする請求項１に記載の原稿読取編集装置。
【請求項８】
前記表示手段には、
前記画像処理手段によりグループ化された前記マーク画像に関するグループ情報が表示され、
前記表示手段に表示された前記グループ情報を前記操作手段によって選択するようにしたことを特徴とする請求項１に記載の原稿読取編集装置。
【請求項９】
前記操作手段は、
前記マーク画像に関する色に関して予め準備された何段階かの色の候補の中から選択するように操作され、選択された前記色を編集後のマーク画像の色として設定することを特徴とする請求項１に記載の原稿読取編集装置。
【請求項１０】
白黒文書中に複数の色付きマーク画像を含む原稿を読み取って編集する方法であって、
前記原稿を読み取って原稿画像情報を取得し、
取得された前記原稿画像情報の中から色付きマーク画像情報を抽出し、
抽出された前記色付きマーク画像情報を同色系のマーク画像毎にグループ化し、
グループ化された前記同色系のマーク画像毎に編集要求を受け付けることを特徴とする原稿読取編集方法。
【請求項１１】
白黒文書中に複数の色付きマーク画像を含む原稿を読み取って画像を形成する装置であって、
前記原稿を読み取って編集する原稿読取編集装置と、
前記原稿読取編集装置によって編集された原稿画像情報に基づいて画像を形成する画像形成手段とを備え、
前記原稿読取編集装置は、
前記原稿を読み取って原稿画像情報を取得する原稿読取手段と、
前記原稿読取手段によって取得された前記原稿画像情報の中から色付きマーク画像情報を抽出すると共に、当該色付きマーク画像情報を同色系のマーク画像毎にグループ化する画像処理手段と、
前記画像処理手段によりグループ化された前記同色系のマーク画像毎に編集要求を受け付ける操作手段と、
前記操作手段によって受け付けられた編集要求に基づいて前記画像処理手段を制御する制御手段と有することを特徴とする画像形成装置。
【請求項１２】
前記画像処理手段は、
前記原稿画像情報を所定の色座標系の色空間に展開して色付きマーク画像情報を抽出し、
抽出された前記色付きマーク画像情報の各々の画素間の離隔距離情報と、予め設定された所定の距離情報とを比較し、
当該比較結果に基づいて当該色付きマーク画像が同色系のマーク画像であるか否かを判別し、
判別された前記同色系のマーク画像の色情報を抽出すると共に当該色情報を同一グループに登録することを特徴とする請求項１１に記載の画像形成装置。
【請求項１３】
前記画像処理手段は、
前記離隔距離情報が互いに近い距離関係にある色情報を同色系のマーク画像として判別することを特徴とする請求項１１に記載の画像形成装置。
【請求項１４】
前記色座標系には、ＲＧＢ色座標系、Ｌａｂ色座標系又はＬｕｖ色座標系が用いられることを特徴とする請求項１１に記載の画像形成装置。
【請求項１５】
前記色座標系において、前記色情報を表現する彩度方向及び明度方向が定義され、
前記画像処理手段は、
前記彩度方向よりも明度方向に長い所定の距離を設定して、前記同色系のマーク画像の色情報を検出することを特徴とする請求項１１に記載の画像形成装置。
【請求項１６】
前記操作手段は、
前記色座標系における所定の距離に関して予め準備された何段階かの所定の距離の候補値の中から選択するように操作され、選択された前記所定の距離を色座標系に設定することを特徴とする請求項１１に記載の画像形成装置。
【請求項１７】
前記原稿読取手段によって取得された原稿画像情報に基づいて原稿画像を表示する表示手段を備えることを特徴とする請求項１１に記載の画像形成装置。
【請求項１８】
前記表示手段には、
前記画像処理手段によりグループ化された前記マーク画像に関するグループ情報が表示され、
前記表示手段に表示された前記グループ情報を前記操作手段によって選択するようにしたことを特徴とする請求項１１に記載の画像形成装置。
【請求項１９】
前記操作手段は、
前記マーク画像に関する色に関して予め準備された何段階かの色の候補の中から選択するように操作され、選択された前記色を編集後のマーク画像の色として設定することを特徴とする請求項１１に記載の画像形成装置。
【発明の詳細な説明】
【技術分野】
【０００１】
この発明は、白黒文書中に複数の色付きマーク画像を含む原稿を読み取って画像を編集する機能を有するタンデム型のカラープリンタや、カラーファクシミリ装置、カラー複写機、これらの複合機等に適用して好適な原稿読取編集装置、原稿読取編集方法及び画像形成装置に関するものである。
【背景技術】
【０００２】
近年、タンデム型のカラープリンタやカラー複写機、カラーファクシミリ装置、これらの複合機等が使用される場合が多くなってきた。これらのカラー画像形成装置ではイエロー（Ｙ）、マゼンタ（Ｍ）、シアン（Ｃ）、黒（ＢＫ）色用の各々の露光手段、現像手段、感光体ドラムと、中間転写ベルト又は搬送材転写ベルト、及び定着装置とを備えている。
【０００３】
例えば、Ｙ色用の露光手段では任意の画像情報に基づいて感光体ドラムに静電潜像を描くようになされる。現像装置では感光体ドラムに描かれた静電潜像にＹ色用のトナーを付着してカラートナー像を形成する。感光体ドラムはトナー像を中間転写ベルトに転写する。他のＭ、Ｃ、ＢＫ色についても同様の処理がなされる。中間転写ベルトに転写されたカラートナー像は用紙に転写された後に定着装置によって定着される。
【０００４】
この種のカラー画像形成装置によれば、モノクロ文書上のカラーマーカーを編集処理する機能を有したものが開発されている。例えば、この種の画像編集機能に関連して特許文献１にはカラーファクシミリ装置が開示されている。このファクシミリ装置によれば、相手方にカラー画像データを送信する場合に、カラー画像データを編集加工する領域をブロック単位に指定するカラー指定手段を備え、指定されたブロック領域を、指定されなかった画像領域と区分して編集処理するようになされる。このようなカラー指定手段を備えてファクシミリ装置を構成すると、編集加工を容易かつ合理的に実行でき、ユーザに対して高い利便性を与えられるというものである。
【０００５】
【特許文献１】特開２０００−６９２７６号公報（第２頁  第１図）
【発明の開示】
【発明が解決しようとする課題】
【０００６】
ところで、従来方式のマーカー編集処理機能を有したカラー画像形成装置によれば、次のような問題がある。
【０００７】
ｉ．特許文献１に見られるファクシミリ装置で、モノクロ文書上のカラーマーカーを編集処理しようとした場合、編集加工の対象となるマーカーに対して、全てのマーカーの左下端と右上端にカラー指定手段で個別にチェックして、ブロック領域を指定しなくてはならない。このブロック指定が編集時の操作性の向上の妨げとなる。
【０００８】
ii．従って、同系色のカラーマークを全て指定しようとした場合であって、スキャナによって読取ったカラー画像が部分的に、色ずれしているような場合や、ユーザの個人的な要因で見落とした場合に、同系色のカラーマークを一括して編集加工することが困難となる。
【０００９】
そこで、この発明は上述した課題を解決したものであって、白黒文書中に複数の色付きマーク画像を含む原稿を読み取って画像を編集する場合に、同色系のマーク画像をまとめて指定できるようにすると共に、当該マーク画像の編集操作性を向上できるようにした原稿読取編集装置、原稿読取編集方法及び画像形成装置を提供することを目的とする。
【課題を解決するための手段】
【００１０】
上記課題を解決するために、本発明に係る原稿読取編集装置は、白黒文書中に複数の色付きマーク画像を含む原稿を読み取って編集する装置であって、原稿を読み取って原稿画像情報を取得する原稿読取手段と、この原稿読取手段によって取得された原稿画像情報の中から色付きマーク画像情報を抽出すると共に、当該色付きマーク画像情報を同色系のマーク画像毎にグループ化する画像処理手段と、この画像処理手段によりグループ化された同色系のマーク画像毎に編集要求を受け付ける操作手段と、この操作手段によって受け付けられた編集要求に基づいて画像処理手段を制御する制御手段とを備えることを特徴とするものである。
【００１１】
本発明に係る原稿読取編集装置によれば、白黒文書中に複数の色付きマーク画像を含む原稿を読み取って編集する場合に、原稿読取手段は、原稿を読み取って原稿画像情報を取得する。画像処理手段は、原稿読取手段によって取得された原稿画像情報の中から色付きマーク画像情報を抽出すると共に、当該色付きマーク画像情報を同色系のマーク画像毎にグループ化するようになされる。操作手段は、画像処理手段によりグループ化された同色系のマーク画像毎に編集要求を受け付けるように操作される。これを前提にして、制御手段は、操作手段によって受け付けられた編集要求に基づいて画像処理手段を制御するようになる。
【００１２】
例えば、画像処理手段では、原稿画像情報が所定の色座標系の色空間に展開され、色付きマーク画像情報が抽出される。ここで抽出された色付きマーク画像情報の各々の画素間の離隔距離情報と、予め設定された所定の距離情報とが画像処理手段で比較される。この比較結果に基づいて画像処理手段は、当該色付きマーク画像が同色系のマーク画像であるか否かを判別し、ここで判別された同色系のマーク画像の色情報を抽出すると共に当該色情報を同一グループに登録するようになる。
【００１３】
従って、色付きマーク画像情報を予めグループ化した同色系のマーク画像毎に当該マーク画像の削除、元文書の補間、マーク画像の色変換等といった編集処理を簡単に実行することができる。
【００１４】
本発明に係る原稿読取編集方法は、白黒文書中に複数の色付きマーク画像を含む原稿を読み取って編集する方法であって、原稿を読み取って原稿画像情報を取得し、ここで取得された原稿画像情報の中から色付きマーク画像情報を抽出し、ここで抽出された色付きマーク画像情報を同色系のマーク画像毎にグループ化し、ここでグループ化された同色系のマーク画像毎に編集要求を受け付けることを特徴とするものである。
【００１５】
本発明に係る原稿読取編集方法によれば、白黒文書中に複数の色付きマーク画像を含む原稿を読み取って編集する場合に、同色系のマーク画像をまとめて指定することができるので、色付きマーク画像情報を予めグループ化した同色系のマーク画像毎に当該マーク画像の削除、元文書の補間、マーク画像の色変換等といった編集処理を簡単に実行することができる。
【００１６】
本発明に係る画像形成装置は、白黒文書中に複数の色付きマーク画像を含む原稿を読み取って画像を形成する装置であって、原稿を読み取って編集する原稿読取編集装置と、この原稿読取編集装置によって編集された原稿画像情報に基づいて画像を形成する画像形成手段とを備え、原稿読取編集装置は、原稿を読み取って原稿画像情報を取得する原稿読取手段と、この原稿読取手段によって取得された原稿画像情報の中から色付きマーク画像情報を抽出すると共に、当該色付きマーク画像情報を同色系のマーク画像毎にグループ化する画像処理手段と、この画像処理手段によりグループ化された同色系のマーク画像毎に編集要求を受け付ける操作手段と、この操作手段によって受け付けられた編集要求に基づいて画像処理手段を制御する制御手段と有することを特徴とするものである。
【００１７】
本発明に係る画像形成装置によれば、本発明に係る原稿読取編集装置が応用されるので、白黒文書中に複数の色付きマーク画像を含む原稿を読み取って画像を形成する場合に、原稿読取手段は、原稿を読み取って原稿画像情報を取得する。画像処理手段は、原稿読取手段によって取得された原稿画像情報の中から色付きマーク画像情報を抽出すると共に、当該色付きマーク画像情報を同色系のマーク画像毎にグループ化するようになされる。操作手段は、画像処理手段によりグループ化された同色系のマーク画像毎に編集要求を受け付けるように操作される。これを前提にして、制御手段は、操作手段によって受け付けられた編集要求に基づいて画像処理手段及び画像形成手段を制御するようになる。
【００１８】
従って、色付きマーク画像情報を予めグループ化した同色系のマーク画像毎に当該マーク画像の削除、元文書の補間、マーク画像の色変換等といった編集処理をした後の画像情報に基づいて画像を形成することができる。
【発明の効果】
【００１９】
本発明に係る原稿読取編集装置によれば、白黒文書中に複数の色付きマーク画像を含む原稿を読み取って編集する場合に、色付きマーク画像情報を予めグループ化した同色系のマーク画像に関して、当該マーク画像毎に受け付けられた編集要求に基づいて画像処理手段を制御する制御手段を備えるものである。
【００２０】
この構成によって、色付きマーク画像情報を予めグループ化した同色系のマーク画像毎に当該マーク画像の削除、元文書の補間、マーク画像の色変換等といった編集処理を簡単に実行することができる。従って、モノクロ文書上のカラーマーカーを編集可能なカラースキャナ付きの画像形成装置に当該装置を十分応用することができる。
【００２１】
本発明に係る原稿読取編集方法によれば、白黒文書中に複数の色付きマーク画像を含む原稿を読み取って編集する場合に、原稿を読み取って原稿画像情報を取得し、ここで取得された原稿画像情報の中から色付きマーク画像情報を抽出し、ここで抽出された色付きマーク画像情報を同色系のマーク画像毎にグループ化するようになされる。
【００２２】
この構成によって、同色系のマーク画像をまとめて指定することができるので、色付きマーク画像情報を予めグループ化した同色系のマーク画像毎に当該マーク画像の削除、元文書の補間、マーク画像の色変換等といった編集処理を簡単に実行することができる。しかも、グループ化された同色系のマーク画像毎に編集要求を受け付けるようになされるので、読み取ったマーク画像の色相が部分的にずれているような場合であっても、ユーザは、当該マーク画像の削除、元文書の補間、マーク画像の色変換等の編集したいマーカー部分をグループ単位により簡単に指定することができる。
【００２３】
本発明に係る画像形成装置によれば、本発明に係る原稿読取編集装置が応用されるので、白黒文書中に複数の色付きマーク画像を含む原稿を読み取って画像を形成する場合に、色付きマーク画像情報を予めグループ化した同色系のマーク画像毎に当該マーク画像の削除、元文書の補間、マーク画像の色変換等といった編集処理をした後の画像情報に基づいて画像を形成することができる。
【発明を実施するための最良の形態】
【００２４】
以下、図面を参照しながら、この発明の実施例に係る原稿読取編集装置、原稿読取編集方法及び画像形成装置について説明をする。
【実施例１】
【００２５】
図１は、本発明の第１の実施例としてのカラースキャナ１００の構成例を示す概念図である。
この実施例では、白黒文書中に複数の色付きマーク画像を含む原稿を読み取って編集する場合に、色付きマーク画像情報を予めグループ化した同色系のマーク画像に関して、当該マーク画像毎に受け付けられた編集要求に基づいて画像処理手段を制御する制御手段を備え、色付きマーク画像情報を予めグループ化した同色系のマーク画像毎に当該マーク画像の削除、元文書の補間、マーク画像の色変換等といった編集処理を簡単に実行できるようにすると共に、モノクロ文書上のカラーマーカーを編集可能なカラースキャナ付きの複写機等に当該装置を十分応用できるようにしたものである。
【００２６】
図１に示すカラースキャナ１００は、原稿読取編集装置の一例であり、白黒文書中に複数の色付きマーク画像を含む原稿を読み取って編集する装置である。この原稿読取編集装置は、カラースキャナ１００の他にタンデム型のカラープリンタやカラー複写機、カラーファクシミリ装置、これらの複合機等に適用して好適である。カラースキャナ１００は、スキャナ部１１及びスキャナ本体１１ａを有している。スキャナ本体１１ａには、例えば、自動原稿給紙装置（ＡＤＦ）４０が取り付けられており、任意の原稿３０を自動給紙するように動作する。ＡＤＦ４０は原稿載置部４１、ローラ４２ａ、ローラ４２ｂ、ローラ４３、搬送ローラ４４及び排紙皿４６を有している。原稿載置部４１には一又は複数の原稿３０が載置される。
【００２７】
原稿載置部４１の下流側にはローラ４２ａ及びローラ４２ｂが設けられ、自動給紙モードが選択されたとき、原稿載置部４１から繰り出された原稿３０は、下流側のローラ４３によってＵ字回転するように搬送される。なお、自動給紙モードが設定された場合、原稿３０の記録面は原稿載置部４１で上に向けて載置するようになされる。
【００２８】
スキャナ部１１は原稿読取手段の一例であり、原稿３０を読み取って原稿画像情報を取得するようになされる。スキャナ部１１には縮小型イメージセンサが使用され、例えば、自動給紙モード時に、原稿３０がローラ４３によってＵ字状に反転するときに、その原稿３０の表面を読み取って原稿読取信号Ｓoutを出力するようになされる。スキャナ部１１で読み取られた原稿３０は、搬送ローラ４４により搬送されて排紙皿４６へ排紙される。
【００２９】
スキャナ部１１は第１のプラテンガラス５１、第２のプラテンガラス５２、光源５３、ミラー５４、５５、５６、結像光学部５７、ＣＣＤ撮像装置５８及び図示しない光学駆動部を有している。スキャナ部１１には、縮小型イメージセンサを構成するカラー用のＣＣＤ撮像装置５８が備えられ、プラテンモード時に、原稿３０を読み取って得たＲＧＢ色系の原稿読取信号Ｓoutを出力するようになされる。
【００３０】
一方、スキャナ本体内には、制御手段１５及び画像処理手段７０が設けられる。上述のＣＣＤ撮像装置５８の出力段には画像処理手段７０が接続される。画像処理手段７０は、スキャナ部１１によって取得されたＲＧＢ色系の原稿画像データＤoutの中から色付きマーク画像情報を抽出すると共に、当該色付きマーク画像情報を同色系のマーク画像毎にグループ化するようになされる。
【００３１】
画像処理手段７０は、読取処理部７１、メモリ部７２及び比較判定部７３を有している。読取処理部７１は、ＣＣＤ撮像装置５８から原稿読取信号Ｓoutを入力する。読取処理部７１は図示しないアナログデジタル変換器を有しており、原稿読取信号Ｓoutをアナログ・デジタル変換してデジタルの原稿画像データＤinを取得する。読取処理部７１にはメモリ部７２が接続され、原稿画像データＤoutが格納される。メモリ部７２には、ＤＲＡＭやハードディスクが使用される。
【００３２】
読取処理部７１は、原稿画像データＤinを所定の色座標系の色空間に展開して、色付きマーク画像情報を抽出するようになされる。この色座標系には、ＲＧＢ色座標系、Ｌａｂ色座標系又はＬｕｖ色座標系が用いられる。この例で、読取処理部７１は、ＲＧＢ色系の原稿画像データＤinをＲＧＢ色座標系の色空間に展開する。これは原稿画像データＤinの中から色付きマーク画像情報を抽出したり、当該色付きマーク画像情報を同色系のマーク画像毎にグループ化するためである。なお、読取処理部７１で原稿画像データＤinをＲＧＢ色座標系以外の色空間でマーク画像情報を抽出する場合は、メモリ部７２において、Ｌａｂ色座標系又はＬｕｖ色座標系の色空間を展開するようになされる。
【００３３】
この例で読取処理部７１にはメモリ部７２の他に比較判定部７３が接続される。比較判定部７３には、コンパレータやＭＰＵ（Micro Processor Unit）が使用される。比較判定部７３は、メモリ部７２に展開された色空間の中で予め設定された所定の距離情報と、色情報相互間の離隔距離情報とを比較する。比較判定部７３は、比較結果に基づいて当該色付きマーク画像が同色系のマーク画像であるか否かを判別し、ここで判別された同色系のマーク画像の色情報Ｄｒ、Ｄｇ、Ｄｂを抽出すると共に、当該色情報Ｄｒ、Ｄｇ、Ｄｂを同一グループ情報Ｄgpとして登録するようになされる。
【００３４】
この例で比較判定部７３は、離隔距離情報が互いに近い距離関係にある色情報Ｄｒ、Ｄｇ、Ｄｂを同色系のマーク画像として判別する。例えば、色座標系において、色情報Ｄｒ、Ｄｇ、Ｄｂを表現する彩度方向及び明度方向を定義したとき、比較判定部７３は、彩度方向よりも明度方向に長い所定の距離を設定して、同色系のマーク画像の色情報Ｄｒ、Ｄｇ、Ｄｂを検出するようになされる。これにより、読取処理部７１からプリンタ等へ原稿画像データＤoutと共にマーク画像に関するグループ情報Ｄgpを出力することができる。
【００３５】
スキャナ本体には、操作手段１４及び表示手段１８から構成される操作パネル４８が設けられ、任意の原稿３０を読み取って得られた原稿画像データＤoutをプリンタ等に出力するように操作される。操作手段１４は、画像処理モードを選択するように操作される。この例で、画像処理モードには、グループ化処理モードとノーマル処理モードとが準備されている。ここにグループ化処理モードとは、原稿画像データに基づく色付きマーク画像から同色系のマーク画像を抽出してグループ化する動作をいう。ノーマル処理モードとは、原稿画像データに関してグループ化処理を施すことなくそのまま出力する動作をいう。
【００３６】
操作手段１４は、グループ化処理モードが選択されたとき、その下位の設定項目として、色座標系における所定の距離に関し、予め準備された何段階かの所定の距離の候補値の中から選択するように操作される。操作手段１４を使用して選択された所定の距離は、制御手段１５を通じて色座標系に設定するようになされる。
【００３７】
また、操作手段１４は、画像処理手段７０によりグループ化された同色系のマーク画像毎に編集要求を受け付けるように操作される。例えば、操作手段１４は、マーク画像に関する色に関して予め準備された何段階かの色の候補の中から選択するように操作される。例えば、色の候補として黄色、橙色、赤色、紫色、青色、水色、黄緑色、緑色等が予め準備される。操作手段１４を使用して選択された色は、制御手段１５を通じて編集後のマーク画像の色としてプリンタ等に設定するようになされる。
【００３８】
また、表示手段１８は、スキャナ部１１によって取得された原稿画像データＤoutに基づいて原稿画像を表示する。表示手段１８は、画像処理手段７０によりグループ化されたマーク画像に関するグループ情報Ｄgpを表示するようになされる。この例では、表示手段１８に表示されたグループ情報Ｄgpは、操作手段１４によって選択するように操作される。これはグループ化された同色系のマーク画像毎に編集後のマーク画像の色等を指定するためである。
【００３９】
制御手段１５は、操作手段１４によって受け付けられた編集要求に基づいて画像処理手段７０を制御する。例えば、制御手段１５は、操作手段１４を使用して選択された所定の距離をメモリ部７２に展開された色座標系に設定するように読取処理部７１を制御する。また、制御手段１５は、マーク画像毎に受け付けられた編集要求に基づいて画像処理手段７０を制御し、色付きマーク画像情報を予めグループ化した同色系のマーク画像毎に当該マーク画像の削除、元文書の補間、マーク画像の色変換等といった編集処理を実行する。
【００４０】
図２は、白黒文書中に複数の色付きマーク画像を含む原稿例を示す図である。図２に示す原稿３０は、長さがＬｃｍで幅がＷｃｍの大きさの用紙３０’を有している。用紙３０’で二点鎖線の領域ｗ１は、白黒文書（ａｂｃｄｅｆｇ・・・・・等）が記述された部分である。同波線領域ｗ２は、白黒文書中にマーク（記述）された赤色（系）マーク画像を示している。この赤色マーク画像は、赤色系の水性マークペン等を使用して記述され、当該マーク下の白黒文書が見える状態である。このマーク下の白黒文書は、ＯＣＲ機能により文字情報として読み取り可能な状態である。
【００４１】
同なし地領域ｗ３は、同文書中にマークされた青色（系）マーク画像を示している。この青色マーク画像は、青色系の水性マークペン等を使用して記述され、当該マーク下の白黒文書が見える状態である。このマーク下の白黒文書は、ＯＣＲ機能により文字情報として読み取り可能な状態である。
【００４２】
同二重斜線領域ｗ４は、同文書中にマークされた緑色（系）マーク画像を示している。緑色（系）マーク画像は、緑色系の水性マークペン等を使用して記述され、当該マーク下の白黒文書が見える状態である。このマーク下の白黒文書は、ＯＣＲ機能により文字情報として読み取り可能な状態である。
【００４３】
この例では、白黒文書中に記述された赤、青、緑色系のマーク画像を含む原稿３０を読み取って編集する場合に、色付きマーク画像情報を予めグループ化した同色系のマーク画像に関して、図１に示した制御手段１５は、当該マーク画像毎に受け付けられた編集要求に基づいて画像処理手段７０を制御し、色付きマーク画像情報を予めグループ化した同色系のマーク画像毎に当該マーク画像の削除、元文書の補間、マーク画像の色変換等といった編集処理をするようになされる。
【００４４】
図３Ａ及びＢは、原稿画像データＤinのＲＧＢ色座標系への展開例を示す図である。  
図３Ａに示す原稿画像データＤinは、図２に示した原稿３０をスキャナ部１１で読み取って得たカラー画像情報であって、図１に示した読取処理部７１で原稿読取信号ＳoutをＡ／Ｄ変換したＲＧＢ色系のデジタルデータである。読取処理部７１は、メモリ部７２に上述の原稿画像データＤoutを展開し、原稿画像データＤinから白黒文書情報と色付きマーク画像情報とを抽出する。
【００４５】
この例では、色空間内での距離が近い画素（ピクセル）を同じグループとなるようにグループ化してラベル付けを行う。そして、グルーピングされた各色グループを表示し、合わせて代表色も表示するようになされる。例えば、図３ＢのＲＧＢ色座標系で示される色空間に、白黒文書情報と色付きマーク画像情報とが展開される。白黒文書情報は、ＲＧＢ色座標系の原点付近に集まり、色付きマーク画像情報は、ＲＧＢ色空間座標軸の方へ分散するようになされる。
【００４６】
この例でＲ色空間座標軸付近には、カラーグループ＃１が抽出される。カラーグループ＃１は、図２に示した例の場合、用紙３０’の白黒文書中にマーク（記述）された波線領域ｗ２を成す赤色（系）マーク画像の集まりである。この際のグルーピング（グループ化）処理は、メモリ部７２に展開されたＲＧＢ色座標系の中で予め設定された所定の距離情報と、色情報相互間の離隔距離情報とを比較判定部７３が比較することで実行される。
【００４７】
このとき、比較判定部７３は、離隔距離情報が互いに近い距離関係にある赤色（系）マーク画像に係る色情報Ｄｒを同色系のマーク画像として判別する。例えば、ＲＧＢ色座標系で定義された彩度方向よりも明度方向に長い所定の距離を設定して、赤色系のマーク画像の色情報Ｄｒを検出するようになされる。この比較結果に基づいて比較判定部７３は、当該色付きマーク画像が赤色系のマーク画像であるか否かを判別し、判別後の赤色系のマーク画像の色情報Ｄｒを抽出すると共に、当該色情報Ｄｒを同一グループ情報Ｄgpとして登録する。
【００４８】
また、Ｇ色空間座標軸付近には、カラーグループ＃２が抽出される。カラーグループ＃２は、同図に示した例の場合、用紙３０’の白黒文書中にマーク（記述）されたなし地領域ｗ３を成す緑色（系）マーク画像の集まりである。比較判定部７３は、赤色系の処理と同様にして、緑色系についても、離隔距離情報が互いに近い距離関係にある緑色（系）マーク画像に係る色情報Ｄｇを同色系のマーク画像として判別する。
【００４９】
例えば、ＲＧＢ色座標系で定義された彩度方向よりも明度方向に長い所定の距離を設定して、緑色系のマーク画像の色情報Ｄｇを検出するようになされる。この比較結果に基づいて比較判定部７３は、当該色付きマーク画像が緑色系のマーク画像であるか否かを判別し、判別後の緑色系のマーク画像の色情報Ｄｇを抽出すると共に、当該色情報Ｄｇを同一グループ情報Ｄgpとして登録する。
【００５０】
更に、Ｂ色空間座標軸付近には、カラーグループ＃３が抽出される。カラーグループ＃３は、同図に示した例の場合、用紙３０’の白黒文書中にマーク（記述）された二重斜線領域ｗ４を成す青色（系）マーク画像の集まりである。比較判定部７３は、赤及び緑色系の処理と同様にして、青色系についても、離隔距離情報が互いに近い距離関係にある青色（系）マーク画像に係る色情報Ｄｂを同色系のマーク画像として判別する。
【００５１】
例えば、ＲＧＢ色座標系で定義された彩度方向よりも明度方向に長い所定の距離を設定して、青色系のマーク画像の色情報Ｄｂを検出するようになされる。この比較結果に基づいて比較判定部７３は、当該色付きマーク画像が青色系のマーク画像であるか否かを判別し、判別後の青色系のマーク画像の色情報Ｄｂを抽出すると共に、当該色情報Ｄｂを同一グループ情報Ｄgpとして登録する。これにより、読取処理部７１からプリンタ等へ原稿画像データＤoutと共にマーク画像に関するグループ情報Ｄgpを出力することができる。
【００５２】
続いて、本発明に係る原稿読取編集方法について説明をする。図４は、カラースキャナ１００における原稿読取編集例、図５は、画像処理手段におけるグループ化処理例を示すフローチャートである。
この実施例では、白黒文書中に複数の色付きマーク画像を含む原稿を読み取り、ＲＧＢ色座標系の色空間に展開し、ここで抽出された色付きマーク画像をグルーピング処理してグループ情報Ｄgpを得て、このグループ情報Ｄgp及び原稿画像データＤoutをプリンタ等に出力する場合を前提とする。色付きマーク画像の編集は、プリンタ等で実行する場合を例に挙げる。
【００５３】
これらを原稿読取編集条件にして、図４に示すフローチャートのステップＡ１で、制御手段１５は、原稿セットを待機する。このとき、例えば、ユーザは、プラテンガラス上のＡＤＦ４０を上方に開き、プラテンガラス上に画像形成面を伏せた状態で原稿３０を配置し、その後、プラテンカバー５０を覆うようにＡＤＦ４０を下方に操作する。これにより、プラテンガラス上に配置された原稿３０は、画像形成面を下向きにしてプラテンカバー５０で覆い被された状態となる。プラテンガラス上の原稿３０は、周知の用紙検知技術により、「原稿がプラテンガラス上にセットされた」ことを示す用紙検知信号によって制御手段１５に認知される。
【００５４】
次に、ステップＡ２で制御手段１５は、編集要求を受けるべく画像処理モードを入力する。このとき、ユーザは、操作手段１４を操作してグループ化処理モード又はノーマル処理モードのいずれかを設定するようになされる。そして、ステップＡ３で制御手段１５は、画像処理モードに基づいて制御を分岐する。グループ化処理モードが設定された場合は、ステップＡ４に移行してスタートボタンの押下を待機する。
【００５５】
スタートボタンが押下された場合は、ステップＡ５に移行して原稿３０を読み取って原稿画像データＤoutを取得する。このとき、用紙検知信号及びスタートボタン押下によるスタートオン信号をトリガにして、スキャナ部１１では、光源５３を含む光学駆動系が原稿３０に走査され、原稿３０を読み取るようになされる。ここで得られたＲＧＢ色系の原稿読取信号ＳoutがＣＣＤ撮像装置５８から読取処理部７１に出力される。原稿読取信号Ｓoutは、原稿３０の１ページを単位に出力される。
【００５６】
読取処理部７１は、ＣＣＤ撮像装置５８から原稿読取信号Ｓoutを入力し、この原稿読取信号ＳoutをＡ／Ｄ変換してデジタルの原稿画像データＤinをメモリ部７２に格納する。原稿画像データＤinは、１ページ単位に格納され、当該ページの原稿画像データＤinにはエンド・オブ・フラグ（ＥＯＦ）が付加される。なお、ステップＡ１で原稿がＡＤＦ４０にセットされた場合は、スタートボタン押下と共に、原稿３０がローラ４３によってＵ字状に反転するときに、その原稿３０の表面を読み取って原稿読取信号Ｓoutを出力するようになされる（自動給紙モード）。
【００５７】
その後、ステップＡ６に移行して制御手段１５は、原稿３０に含まれたマーク画像のグルーピング処理を実行する。例えば、図５に示すサブルーチンをコールして、そのフローチャートのステップＥ１で読取処理部７１は、原稿画像データＤinを所定の色座標系に展開する。この例では、ＲＧＢ色座標系の色空間でマーク画像情報を抽出するので、読取処理部７１は、メモリ部７２において、ＲＧＢ色座標系の色空間に原稿画像データＤinを展開する。
【００５８】
その後、読取処理部７１は、ステップＥ２に移行して、所定の色座標系の色空間から色付きマーク画像情報を抽出する。これは原稿画像データＤinの中から色付きマーク画像情報を抽出したり、当該色付きマーク画像情報を同色系のマーク画像毎にグループ化するためである。
【００５９】
その後、ステップＥ３に移行して読取処理部７１は、メモリ部７２に展開された色空間の中で予め設定された所定の距離情報と、色情報相互間の離隔距離情報とを比較する。そして、ステップＥ４で比較判定部７３は、比較結果に基づいて抽出すべき色付きマーク画像が存在するか否かを判別する。このとき、比較判定部７３は、離隔距離情報が互いに近い距離関係にある色情報Ｄｒ、Ｄｇ、Ｄｂを同色系のマーク画像として判別する。例えば、比較判定部７３は、色座標系で定義された彩度方向よりも明度方向に長い所定の距離を設定して、同色系のマーク画像の色情報Ｄｒ、Ｄｇ、Ｄｂを検出するようになされる。
【００６０】
ステップＥ４で比較判別部７３は、「原稿画像データＤinから抽出すべき色付きマーク画像が存在する」と判別した場合は、ステップＥ５に移行して、原稿画像データＤinの中から、例えば、赤色系のマーク画像の色情報Ｄｒ、緑色系のマーク画像の色情報Ｄｇ及び青色系のマーク画像の色情報Ｄｂといったように、同色系の色付きマーク画像情報を抽出するようになされる。
【００６１】
そして、ステップＥ６に移行して比較判定部７３は、赤色系のマーク画像に関する色情報Ｄｒを同一グループ情報Ｄgpとして登録する。同様にして、緑色系のマーク画像に関する色情報Ｄｇを同一グループ情報Ｄgpとして登録する。更に、青色系のマーク画像に関する色情報Ｄｂを同一グループ情報Ｄgpとして登録するようになされる。その後、ステップＥ７に移行する。
【００６２】
上述のステップＥ４で比較判定部７３が、「原稿画像データＤinから抽出すべき色付きマーク画像が存在しない」と判別した場合は、ステップＥ７に移行して、制御手段１５は、当該原稿画像データＤinが最終ページであるか否かに基づいて終了判断をする。このとき、当該ページの原稿画像データＤinに付加されたエンド・オブ・フラグを検出することで最終ページであるか否かを判別する。当該原稿画像データＤinが最終ページでない場合は、サブルーチンのフローチャートのステップＥ１に戻ってグループ化処理を繰り返すようになされる。
【００６３】
当該原稿画像データＤinが最終ページである場合は、図４に示したメインルーチンのステップＡ６にリターンする。その後、ステップＡ７に移行する。ステップＡ７で制御手段１５は、原稿画像データＤoutと共にマーク画像に関するグループ情報Ｄgpを読取処理部７１からプリンタ等へ出力するようになされる。その後、ステップＡ１１に移行する。
【００６４】
なお、上述のステップＡ３でノーマル処理モードが設定された場合は、ステップＡ８に移行してスタートボタンの押下を待機し、このスタートボタンが押下されると共に、ステップＡ９に移行して従来方式と同様にして、原稿３０を読み取って原稿画像データＤoutを取得する。このとき、スキャナ部１１では、光学系５３が原稿３０に走査され、原稿３０を読み取るようになされる。ここで得られたＲＧＢ色系の原稿読取信号ＳoutがＣＣＤ撮像装置５８から読取処理部７１に出力される。
【００６５】
読取処理部７１は、ＣＣＤ撮像装置５８から原稿読取信号Ｓoutを入力し、この原稿読取信号ＳoutをＡ／Ｄ変換してデジタルの原稿画像データＤinをメモリ部７２に格納する。メモリ部７２に格納された原稿画像データＤoutは、ステップＡ１０で１ページ単位にエンド・オブ・フラグ等が付加された後に、プリンタ等へ出力される。その後、ステップＡ１１に移行して、制御手段１５は終了判断をする。例えば、電源オフ情報を検出して原稿読取処理を終了する。電源オフ情報が検出されない場合は、ステップＡ１に戻って原稿セットを待機する。その後は、上述した処理を繰り返すようになされる。
【００６６】
このように、本発明に係る第１の実施例としてのカラースキャナ及び原稿読取編集方法によれば、白黒文書中に複数の色付きマーク画像を含む原稿を読み取って編集する場合に、図４に示したフローチャートのステップＡ２でグループ化処理モード又はノーマル処理モードのいずれかの画像処理モードが受け付けられる。これを前提にして、スキャナ部１１は、原稿３０を読み取って原稿画像データＤinを取得する。その後、画像処理手段７０は、スキャナ部１１によって取得された原稿画像情報の中から色付きマーク画像情報を抽出すると共に、当該色付きマーク画像情報を同色系のマーク画像毎にグループ化するようになされる。
【００６７】
従って、原稿画像データＤout及びグループ情報Ｄgpを入力したプリンタ側で、色付きマーク画像情報を予めグループ化した同色系のマーク画像毎に当該マーク画像の削除、元文書の補間、マーク画像の色変換等といった編集処理を簡単に実行できるようになる。もちろん、スキャナ側で操作手段１４を使用して、画像処理手段７０によりグループ化された同色系のマーク画像毎に編集要求を受け付けるように操作してもよい。この場合、制御手段１５は、操作手段１４によって受け付けられた編集要求に基づいて画像処理手段７０を制御する。
【００６８】
例えば、グループ化された同色系のマーク画像毎に編集要求を受け付けるので、読み取ったマーク画像の色相が部分的にずれているような場合であっても、ユーザは、当該マーク画像の削除、元文書の補間、マーク画像の色変換等の編集したいマーカー部分をグループ単位により簡単に指定できるようになる。これにより、当該マーク画像の編集操作性を向上させることができ、当該カラースキャナ１００をカラーマーカー編集可能な画像形成装置に十分応用することができる。
【実施例２】
【００６９】
図６は、本発明に係る第２の実施例としてのカラー複写機２００の構成例を示す断面の概念図である。
この実施例では、図１〜図５に示したカラースキャナ機能を搭載したカラー複写機２００を構成し、複写機本体のＬＣＤ／タッチパネル４８’を使用して、予め画像処理ブロック７０’によりグループ化された同色系のマーク画像毎に編集要求を受け付け操作するようにしたものである。
【００７０】
図６に示すカラー複写機２００は画像形成装置の一例であり、任意の画像情報に基づいて像形成体に色を重ね合わせ、色画像を形成する装置であって、白黒文書中に複数の色付きマーク画像を含む原稿を読み取って画像を形成するものである。
【００７１】
このカラー複写機２００は、複写機本体２０１とカラー用のスキャナ１００から構成される。スキャナ１００には、第１の実施例で説明した機能が組み込まれている。複写機本体２０１の上部には、ＡＤＦ（自動原稿給紙装置）４０とスキャナ部（原稿画像走査露光装置）１１が配設されている。ＡＤＦ４０の原稿載置部４１に載置された原稿３０は搬送手段により搬送され、スキャナ部１１の光学系により原稿３０の片面又は両面の画像が走査露光され、原稿画像を反映する入射光がＣＣＤ撮像装置（ラインイメージセンサ等）５８により読み込まれる。
【００７２】
ＣＣＤ撮像装置５８により光電変換されたアナログの原稿読取信号Ｓinは、図示しない画像処理部において、アナログ処理、Ａ／Ｄ変換、シェーディング補正、画像圧縮処理及び編集処理等がなされ、デジタルの画像データＤinとなる。原稿画像データＤinは、Ｙ，Ｍ，Ｃ，ＢＫ色用の画像データＤｙ、Ｄｍ、Ｄｃ、Ｄｋに変換された後に、画像形成手段６０を構成する画像書き込みユニット（露光手段）３Ｙ、３Ｍ、３Ｃ、３Ｋへ送られる。
【００７３】
上述のＡＤＦ４０は自動両面原稿搬送手段を備えている。このＡＤＦ４０は原稿載置部４１から給送される多数枚の原稿３０の内容を連続して一挙に読み取り、原稿内容を記憶手段に蓄積するようになされる（電子ＲＤＨ機能）。この電子ＲＤＨ機能は、複写機能により多数枚の原稿内容を複写する場合、或いはファクシミリ機能により多数枚の原稿３０を送信する場合等に便利に使用される。
【００７４】
複写機本体２０１は、タンデム型のカラー画像形成装置と称せられるものである。画像形成手段６０は各色毎に像形成体を有する複数組の画像形成ユニット（画像形成系）１０Ｙ、１０Ｍ、１０Ｃ、１０Ｋと、中間転写体の一例となる無終端状の中間転写ベルト（画像転写系）６と、再給紙機構（ＡＤＵ機構）を含む給紙搬送手段と、トナー像を定着するための定着装置１７とを備えている。
【００７５】
イエロー（Ｙ）色の画像を形成する画像形成ユニット１０Ｙは、Ｙ色のトナー像を形成する像形成体としての感光体ドラム１Ｙと、感光体ドラム１Ｙの周囲に配置されたＹ色用の帯電手段２Ｙ、露光手段３Ｙ、現像装置４Ｙ及び像形成体用のクリーニング手段８Ｙを有する。マゼンタ（Ｍ）色の画像を形成する画像形成ユニット１０Ｍは、Ｍ色のトナー像を形成する像形成体としての感光体ドラム１Ｍと、Ｍ色用の帯電手段２Ｍ、露光手段３Ｍ、現像装置４Ｍ及び像形成体用のクリーニング手段８Ｍを有する。
【００７６】
シアン（Ｃ）色の画像を形成する画像形成ユニット１０Ｃは、Ｃ色のトナー像を形成する像形成体としての感光体ドラム１Ｃと、Ｃ色用の帯電手段２Ｃ、露光手段３Ｃ、現像装置４Ｃ及び像形成体用のクリーニング手段８Ｃを有する。黒（ＢＫ）色の画像を形成する画像形成ユニット１０Ｋは、ＢＫ色のトナー像を形成する像形成体としての感光体ドラム１Ｋと、ＢＫ色用の帯電手段２Ｋ、露光手段３Ｋ、現像装置４Ｋ及び像形成体用のクリーニング手段８Ｋを有する。
【００７７】
帯電手段２Ｙと露光手段３Ｙ、帯電手段２Ｍと露光手段３Ｍ、帯電手段２Ｃと露光手段３Ｃ及び帯電手段２Ｋと露光手段３Ｋとは、潜像形成手段を構成する。現像装置４Ｙ、４Ｍ、４Ｃ、４Ｋによる現像は、使用するトナー極性と同極性（本実施例においては負極性）の直流電圧に交流電圧を重畳した現像バイアスが印加される反転現像にて行われる。中間転写ベルト６は、複数のローラにより巻回され、回動可能に支持され、各々の感光体ドラム１Ｙ、１Ｍ、１Ｃ、１Ｋに形成されたＹ色、Ｍ色、Ｃ色、ＢＫ色の各トナー像を転写するようになされる。
【００７８】
ここで画像形成プロセスの概要について以下に説明をする。画像形成ユニット１０Ｙ、１０Ｍ、１０Ｃ及び１０Ｋより形成された各色の画像は、使用するトナーと反対極性（本実施例においては正極性）の１次転写バイアス（不図示）が印加される１次転写ローラ７Ｙ、７Ｍ、７Ｃ及び７Ｋにより、回動する中間転写ベルト６上に逐次転写され、色を重ね合わせて合成されたカラー画像（色画像：カラートナー像）が形成される（１次転写）。
【００７９】
また、給紙カセット２０Ａ、２０Ｂ、２０Ｃ内に収容された用紙Ｐは、給紙カセット２０Ａ、２０Ｂ、２０Ｃにそれぞれ設けられる送り出しローラ２１および給紙ローラ２２Ａにより給紙され、搬送ローラ２２Ｂ、２２Ｃ、２２Ｄ、レジストローラ２３等を経て、２次転写ローラ７Ａに搬送され、用紙Ｐ上の一方の面（表面）にカラー画像が中間転写ベルト６から用紙Ｐへ一括して転写される（２次転写）。
【００８０】
カラー画像が転写された用紙Ｐは、定着装置１７により定着処理され、排紙ローラ２４に挟持されて機外の排紙トレイ２５上に載置される。転写後の感光体ドラム１Ｙ、１Ｍ、１Ｃ、１Ｋの周面上に残った転写残トナーは、像形成体クリーニング手段８Ｙ、８Ｍ、８Ｃ、８Ｋによりクリーニングされ次の画像形成サイクルに入る。
【００８１】
両面画像形成時には、一方の面（表面）に画像形成され、定着装置１７から排出された用紙Ｐは、分岐手段２６によりシート排紙路から分岐され、それぞれ給紙搬送手段を構成する、下方の循環通紙路２７Ａを経て、再給紙機構（ＡＤＵ機構）である反転搬送路２７Ｂにより表裏を反転され、再給紙搬送部２７Ｃを通過して、給紙ローラ２２Ｄにおいて合流する。反転搬送された用紙Ｐは、レジストローラ２３を経て、再度２次転写ローラ７Ａに搬送され、用紙Ｐの他方の面（裏面）上にカラー画像（カラートナー像）が一括転写される。
【００８２】
カラー画像が転写された用紙Ｐは、定着装置１７により定着処理され、排紙ローラ２４に挟持されて機外の排紙トレイ２５上に載置される。一方、２次転写ローラ７Ａにより用紙Ｐにカラー画像を転写した後、用紙Ｐを曲率分離した中間転写ベルト６は、中間転写ベルト用のクリーニング手段８Ａにより残留トナーが除去される。
【００８３】
これらの画像形成の際には、用紙Ｐとして５２．３〜６３．９ｋｇ／ｍ2（１０００枚）程度の薄紙や６４．０〜８１．４ｋｇ／ｍ2（１０００枚）程度の普通紙、８３．０〜１３０．０ｋｇ／ｍ2（１０００枚）程度の厚紙や１５０．０ｋｇ／ｍ2（１０００枚）程度の超厚紙が用いられる。用紙Ｐの厚み（紙厚）としては０．０５〜０．１５ｍｍ程度の厚さのものが用いられる。
【００８４】
図７はカラー複写機２００の制御系の構成例を示すブロック図である。図７に示すカラー複写機２００は、スキャナ本体１１ａ、制御手段１５、通信手段１９、給紙手段２０、画像形成手段６０、画像処理ブロック７０’及び操作表示ブロック８０から構成される。スキャナ本体１１ａの出力は、図１に示した画像処理手段を含む画像処理ブロック７０’に接続される。画像処理ブロック７０’は、読取処理部７１、メモリ部７２、比較判定部７３、画像Ｉ／Ｆコントローラ７４、画像処理コントローラ７５及び画像メモリ７６を有している。
【００８５】
読取処理部７１は、プラテンモード時等において、原稿３０を読み取って得たＲＧＢ色系の原稿読取信号Ｓoutをスキャナ本体１１ａから入力し、この原稿読取信号ＳoutをＡ／Ｄ変換してデジタルの原稿画像データＤinを取得する。この例で読取処理部７１にはメモリ部７２が接続され、原稿画像データＤoutが格納される。メモリ部７２には、ＤＲＡＭが使用される。
【００８６】
この例で、読取処理部７１は、メモリ部７２において、ＲＧＢ色系の原稿画像データＤinをＲＧＢ色座標系の色空間に展開する。このメモリ展開は、原稿画像データＤinの中から色付きマーク画像情報を抽出したり、当該色付きマーク画像情報を同色系のマーク画像毎にグループ化するためである。この色座標系に関しては、ＲＧＢ色座標系以外のＬａｂ色座標系又はＬｕｖ色座標系を用いてもよい。
【００８７】
上述の読取処理部７１にはメモリ部７２の他に比較判定部７３が接続される。比較判定部７３には、コンパレータやＭＰＵ（Micro Processor Unit）が使用される。比較判定部７３は、メモリ部７２に展開された色空間の中で予め設定された所定の距離情報と、色情報相互間の離隔距離情報とを比較する。比較判定部７３は、比較結果に基づいて当該色付きマーク画像が同色系のマーク画像であるか否かを判別し、ここで判別された同色系のマーク画像の色情報Ｄｒ、Ｄｇ、Ｄｂを抽出すると共に、当該色情報Ｄｒ、Ｄｇ、Ｄｂを同一グループ情報Ｄgpとして登録するようになされる。
【００８８】
この例で比較判定部７３は、離隔距離情報が互いに近い距離関係にある色情報Ｄｒ、Ｄｇ、Ｄｂを同色系のマーク画像として判別する。例えば、色座標系において、色情報Ｄｒ、Ｄｇ、Ｄｂを表現する彩度方向及び明度方向を定義したとき、比較判定部７３は、彩度方向よりも明度方向に長い所定の距離を設定して、同色系のマーク画像の色情報Ｄｒ、Ｄｇ、Ｄｂを検出するようになされる。
【００８９】
また、読取処理部７１には画像処理コントローラ７５が接続され、この画像処理コントローラ７５には、画像Ｉ／Ｆコントローラ７４を介して画像メモリ７６が接続され、画像処理コントローラ７５の制御を受けて、読取処理部７１からＲＧＢ色系の原稿画像データＤoutと共にマーク画像に関するグループ情報Ｄgpを格納される。画像メモリ７６には、ＤＲＡＭやハードディスク等が使用される。これにより、画像処理ブロック７０’において、ＲＧＢ色系の原稿画像データＤoutの中から色付きマーク画像情報を抽出すると共に、当該色付きマーク画像情報を同色系のマーク画像毎にグループ化することができる。
【００９０】
上述の画像処理コントローラ７５には、色変換部７７が設けられ、画像処理ブロック（原稿読取編集機能）７０’によって編集されたＲＧＢ色系の原稿画像データＤoutをＹＭＣＫ色系の画像データＤｙ、Ｄｍ、Ｄｃ、Ｄｋに色変換するようになされる。画像処理コントローラ７５には画像形成手段６０が接続され、画像データＤｙ、Ｄｍ、Ｄｃ、Ｄｋに基づいてカラー画像を形成するようになされる。なお、画像形成手段６０の内部構成例については、図６に説明しているので参照されたい。
【００９１】
この例で画像処理ブロック７０’には操作表示ブロック８０が接続される。操作表示ブロック８０は、ＬＣＤ／タッチパネル４８’、表示コントローラ８１、メモリ８２及び操作表示制御用のＣＰＵ８３から構成される。
【００９２】
ＬＣＤ／タッチパネル４８’は、操作パネルの一例であり、液晶表示素子（ＬＣＤ）及びタッチパネルから構成され、任意の原稿３０を読み取って得られた原稿画像データＤoutを画像Ｉ／Ｆコントローラ７４及び画像処理コントローラ７５を通じて画像形成手段６０へ出力するように操作される。ＬＣＤ／タッチパネル４８’は、画像処理モードを選択するように操作される。この例でも、画像処理モードには、第１の実施例で説明したようなグループ化処理モードとノーマル処理モードとが準備されている。
【００９３】
ＬＣＤ／タッチパネル４８’は、グループ化処理モードが選択されたとき、その下位の設定項目として、色座標系における所定の距離に関し、予め準備された何段階かの所定の距離の候補値の中から選択するように操作される。ＬＣＤ／タッチパネル４８’を使用して選択された所定の距離は、ＣＰＵ８３及び制御手段１５を通じて色座標系に設定するようになされる。
【００９４】
また、ＬＣＤ／タッチパネル４８’は、画像処理ブロック７０’によりグループ化された同色系のマーク画像毎に編集要求を受け付けるように操作される。例えば、ＬＣＤ／タッチパネル４８’は、マーク画像に関する色に関して予め準備された何段階かの色の候補の中から選択するように操作される。
【００９５】
上述の画像Ｉ／Ｆコントローラ７４には表示コントローラ８１が接続される。表示コントローラ８１には、メモリ８２が接続されており、色の候補に関する表示データＤ２及び操作パネルに関する操作データＤ３が格納される。例えば、メモリ８２には、色の候補として黄色、橙色、赤色、紫色、青色、水色、黄緑色、緑色等の表示データＤ２が予め準備され格納される。表示コントローラ８１は、メモリ８２から色の候補に関する表示データＤ２を読み出してＬＣＤ／タッチパネル４８’に出力する。また、ＬＣＤ／タッチパネル４８’を使用して選択された色は、ＣＰＵ８３及び制御手段１５を通じて編集後のマーク画像の色として画像形成手段６０に設定するようになされる。なお、ＬＣＤ／タッチパネル４８’で設定された画像形成条件や給紙カセット選択情報等は、操作データＤ３となってＣＰＵ８３に出力される。
【００９６】
また、ＬＣＤ／タッチパネル４８’は、スキャナ本体１１ａによって取得された原稿画像データＤoutに基づいて原稿画像をプレビュー表示したり、画像処理ブロック７０’によりグループ化されたマーク画像に関するグループ情報Ｄgpを表示するようになされる。この例では、ＬＣＤ／タッチパネル４８’に表示されたグループ情報Ｄgpは、ＬＣＤ／タッチパネル４８’によって選択するように操作される。これはグループ化された同色系のマーク画像毎に編集後のマーク画像の色等を指定するためである。
【００９７】
上述の制御手段１５は、ＲＯＭ（Read Only Memory）３４、ＣＰＵ（Central Processing Unit；中央処理ユニット）３５及びワーク用のＲＡＭ（Random Access Memory）３６を有している。ＲＯＭ３４には当該複写機全体を制御するためのシステムプログラムデータが格納される。ＲＡＭ３６には、画像処理モード実行時の制御コマンド等を一時記憶するようになされる。ＣＰＵ３５は電源がオンされると、ＲＯＭ３４からシステムプログラムデータを読み出してシステムを起動し、当該複写機全体を制御するようになされる。
【００９８】
また、通信手段１９は、ＬＡＮ等の通信回線に接続され、外部のコンピュータ等と通信処理する際に使用される。当該カラー複写機２００をプリンタとして使用する場合に、そのプリント動作モード時に、通信手段１９は外部のコンピュータからプリントデータＤinを受信するように使用される。給紙手段２０は、給紙カセット２０Ａ〜２０Ｃを駆動するための、図示しないモータに接続され、給紙制御信号Ｓ４に基づいてモータの回転を制御し、当該給紙カセット２０Ａ、２０Ｂ又は２０Ｃから繰り出した用紙Ｐを画像形成系に搬送するように動作する。給紙制御信号Ｓ４は、制御手段１５から給紙手段２０に供給される。
【００９９】
例えば、制御手段１５は、ＬＣＤ／タッチパネル４８’によって受け付けられた編集要求に基づいて画像処理ブロック７０’を制御したり、画像処理ブロック７０’によって編集された原稿画像データＤｙ，Ｄｍ，Ｄｃ，Ｄｋに基づいてカラー画像を形成するように画像形成手段６０を制御する。この例で、制御手段１５は画像Ｉ／Ｆコントローラ７４に画像Ｉ／Ｆ制御信号Ｓ１を出力する。画像Ｉ／Ｆコントローラ７４は、画像Ｉ／Ｆ制御信号Ｓ１に基づいて画像メモリ７６から読み出した原稿画像データＤoutを表示コントローラ８１又は画像処理コントローラ７５に転送するようになされる。
【０１００】
また、制御手段１５は画像表示コントローラ７５に画像制御信号Ｓ２を出力すると共に、読取処理部７１に画像処理信号Ｓ３を各々出力する。画像表示コントローラ７５は、ＬＣＤ／タッチパネル４８’を使用して選択された所定の距離に関する情報を画像制御信号Ｓ２に基づいて読取処理部７１に出力する。読取処理部７１は、画像表示コントローラ７５からの所定の距離に関する情報を画像処理信号Ｓ３に基づいて色座標系に設定する。色座標系は、メモリ部７２に展開されている。
【０１０１】
更に、制御手段１５は、マーク画像毎に受け付けられた編集要求に基づいて画像処理ブロック７０’を制御したり、色付きマーク画像情報を予めグループ化した同色系のマーク画像毎に当該マーク画像の削除、元文書の補間、マーク画像の色変換等といった編集処理を実行する。
【０１０２】
この例で制御手段１５は、画像形成手段６０に画像形成制御信号Ｓ４を出力する。画像形成手段６０は、画像処理後の原稿画像データＤｙ、Ｄｍ、Ｄｃ、Ｄｋ及び画像形成制御信号Ｓ４を入力して所定の用紙Ｐにカラー画像を形成するように動作する。また、制御手段１５は、給紙手段２０に給紙制御信号Ｓ５を出力する。給紙手段２０は、給紙制御信号Ｓ５に基づいて給紙カセット２０Ａ、２０Ｂ又は２０Ｃのいずれかを選択し、当該給紙カセットから用紙Ｐを繰り出して画像形成手段６０へ給紙するようになされる。
【０１０３】
上述の制御手段１５には通信手段１９が接続され、原稿画像データＤｙ、Ｄｍ、Ｄｃ、Ｄｋ及びグループ情報Ｄgpを外部の複合機やプリンタ等に転送するようになされる。この原稿画像データＤｙ、Ｄｍ、Ｄｃ、Ｄｋ及びグループ情報Ｄgpは、画像処理ブロック７０’で編集処理されたものであり、外部の複合機やプリンタ等においても、マーク画像毎に受け付けられた編集要求に基づいて、当該マーク画像の削除、元文書の補間、マーク画像の色変換等といった編集処理を実行できるようになる。
【０１０４】
図８は、操作パネル４８におけるカラーマーカー編集画面Ｐ１の表示例を示す概念図である。
図８に示す操作パネル４８には、スタートキーＫ１や、ストップキーＫ１の他にカラー用の液晶表示部（ＬＣＤ）１８’を有したＬＣＤ／タッチパネル４８’が設けられる。この液晶表示部１８’は、画像形成条件設定時に、表示データＤ２に基づいてカラーマーカー編集画面Ｐ１を表示する。カラーマーカー編集画面Ｐ１には、「カラーマーカー編集できます。」の文字情報が表示される。この文字表示領域の右側には、「カラー選択」の文字情報が表示される。この文字表示領域の下方には、「カラーグループ＃１」〜「カラーグループ＃３」のアイコンキーＫ１１〜Ｋ１３が表示される。
【０１０５】
アイコンキーＫ１１は、図３Ｂで説明したＲ色空間座標軸付近に抽出されたカラーグループ＃１を選択する際に押下される。カラーグループ＃１は、ＲＧＢ色座標系に展開された原稿画像データＤinに基づく赤色（系）のマーク画像群であって、Ｒ色空間座標軸付近に抽出される。アイコンキーＫ１２は、Ｇ色空間座標軸付近に抽出されたカラーグループ＃２を選択する際に押下される。カラーグループ＃２は同色座標系に展開された原稿画像データＤinに基づく緑色（系）のマーク画像群であって、Ｇ色空間座標軸付近に抽出される。
【０１０６】
アイコンキーＫ１３は、Ｂ色空間座標軸付近に抽出されたカラーグループ＃３を選択する際に押下される。カラーグループ＃３は、同色座標系に展開された原稿画像データＤinに基づく青色（系）のマーク画像群であって、Ｂ色空間座標軸付近に抽出されたものである。
【０１０７】
このアイコン表示領域の下方には、「編集作業」の文字情報が表示される。この文字表示領域の下方には、「削除」、「色変更」及び「取消」のアイコンキーＫ１４〜Ｋ１６が表示される。アイコンキーＫ１４は、原稿画像の白黒文書中にマークされたマーク画像を削除する際に押下される。アイコンキーＫ１５は、原稿画像の白黒文書中にマークされたマーク画像の編集を取り消す際に押下される。
【０１０８】
アイコンキーＫ１６は、原稿画像の白黒文書中にマークされたマーク画像の色を変更する際に押下される。アイコンキーＫ１６が押下されると、例えば、カラーバーＣＢがカラーマーカー編集画面Ｐ１上にポップアップ表示される。カラーバーＣＢには例えば、色の候補として黄色、橙色、赤色、紫色、青色、水色、黄緑色、緑色等が表示される。カラーバーＢＣは、予め準備され、メモリ８２から表示データＤ２を読み出すことで表示される。カラーバーＢＣから黄色、橙色、赤色、紫色、青色、水色、黄緑色、又は緑色のいずれかを選択する場合、例えば、操作パネル４８のテンキー「１」〜「８」等を使用して選択するようになされる。
【０１０９】
文字表示領域の下方には、プレビュー表示画面Ｐ２が表示され、プレビュー表示画面Ｐ２には、スキャナ本体１１ａによって取得された原稿画像や、白黒文書中にマークされた編集後の原稿画像等をプレビュー表示したり、画像処理ブロック７０’によりグループ化されたマーク画像に関するグループ情報Ｄgpを表示するようになされる。これらの機能を使用することにより、予めグループ化された色付きマーク画像情報を同色系のマーク画像毎に当該マーク画像の削除、元文書の補間、マーク画像の色変換等といった編集処理を実行することができる。
【０１１０】
続いて、カラー複写機２００における画像処理例について説明をする。図９及び図１０は、カラー複写機２００における画像処理例（その１、２）を示すフローチャートである。
【０１１１】
この実施例では、モノクロ文書などにカラーのマーカーが上書きされている場合であって、図８に示したカラー複写機２００の操作パネル４８を使用して、グループ化処理モードを設定し、その後、画像処理ブロック７０’によりグループ化された同色系のマーク画像毎に編集要求を受け付け、編集処理後のＹＭＣＫ色系の画像データＤｙ、Ｄｍ、Ｄｃ、Ｄｋに基づいてカラー画像を形成する場合を前提とする。この例では、簡単な操作にて、色空間で所定の距離に基づいた色／明るさ別のマーカーをグルーピングし、ここにグルーピングされたマーカーの削除、元文書の補間、マーカーの色変換等を実行するようになされる。
【０１１２】
これらを画像形成条件にして、図９に示すフローチャートのステップＦ１で制御手段１５は、コピー要求を待機する。コピー要求が有った場合は、ステップＦ２に移行して制御手段１５は、画像形成条件を入力する。ここでユーザは、図８に示した操作パネル４８を操作して、用紙の大きさや、コピー枚数等の画像形成条件を入力すると共に、グループ化処理モード又はノーマルモードのいずれか一方の画像処理モードを選択するようになされる。
【０１１３】
このとき、操作表示ブロック８０では、グループ化処理モードが選択されたとき、その下位の設定項目として、色座標系における所定の距離に関し、予め準備された何段階かの所定の距離の候補値の中から選択するように操作される。操作パネル４８を使用して選択された所定の距離は、ＣＰＵ８３及び制御手段１５を通じて色座標系に設定するようになされる。
【０１１４】
そして、ステップＦ３に移行して制御手段１５は、画像処理モードに基づいて制御を分岐する。上述のステップＦ２でグループ化処理モードが設定された場合は、ステップＦ４に移行して制御手段１５は、スタートキーＫ１又はストップキーＫ２の押下によって更に制御を分岐する。ここで、ユーザは操作パネル４８のスタートキーＫ１又はストップキーＫ２を押下する。
【０１１５】
スタートキーＫ１が押下された場合は、ステップＦ５に移行して制御手段１５は、スキャナ本体１１ａを制御して原稿３０を読み取るようになされる。例えば、図６に示したＡＤＦ４０の原稿載置部４１に載置された原稿３０は、搬送手段により搬送され、スキャナ部１１の光学系により原稿３０の片面又は両面の画像が走査露光され、原稿画像を反映する入射光がＣＣＤ撮像装置（ラインイメージセンサ等）５８により読み込まれる。
【０１１６】
このＣＣＤ撮像装置５８により光電変換されたアナログの原稿読取信号Ｓoutは、図７に示した画像処理ブロック７０’の読取処理部７１において、アナログ処理、Ａ／Ｄ変換、シェーディング補正等がなされ、デジタルの原稿画像データＤinとなる。この原稿画像データＤinは、読取処理部７１からメモリ部７２又は画像メモリ７６へ転送され、一時格納される。
【０１１７】
その後、ステップＦ６に移行して制御手段１５は、画像処理ブロック７０’を制御してグループ化処理を実行する。このとき、画像処理ブロック７０’では、読取処理部７１がメモリ部７２において、ＲＧＢ色系の原稿画像データＤinをＲＧＢ色座標系の色空間に展開する。比較判定部７３は、メモリ部７２に展開された色空間の中で予め設定された所定の距離情報と、色情報相互間の離隔距離情報とを比較する。
【０１１８】
比較判定部７３は、比較結果に基づいて当該色付きマーク画像が同色系のマーク画像であるか否かを判別し、ここで判別された同色系のマーク画像の色情報Ｄｒ、Ｄｇ、Ｄｂを抽出すると共に、当該色情報Ｄｒ、Ｄｇ、Ｄｂを同一グループ情報Ｄgpとして登録するようになされる。このとき、マーク画像の色や明るさが互いに近ければ、同じ色のマーカー部分として抽出することができる。これにより、読取ったカラー画像の各ドット間の色空間での所定の距離に基づいて色指定可能な複数のグループにまとめることができる。
【０１１９】
この例で比較判定部７３は、離隔距離情報が互いに近い距離関係にある色情報Ｄｒ、Ｄｇ、Ｄｂを同色系のマーク画像として判別する。例えば、比較判定部７３は、彩度方向よりも明度方向に長い所定の距離を設定して、同色系のマーク画像の色情報Ｄｒ、Ｄｇ、Ｄｂを検出する。この同色系のマーク画像の色情報Ｄｒ、Ｄｇ、Ｄｂは、画像処理コントローラ７５の制御を受けて、マーク画像に関するグループ情報ＤgpとしてＲＧＢ色系の原稿画像データＤoutと共に画像メモリ７６に格納される。これにより、画像処理ブロック７０’において、ＲＧＢ色系の原稿画像データＤoutの中から色付きマーク画像情報を抽出すると共に、当該色付きマーク画像情報を同色系のマーク画像毎にグループ化することができる。
【０１２０】
そして、図１０に示すステップＦ７に移行して制御手段１５は操作表示ブロック８０を制御して編集要求を受け付ける。例えば、画像処理ブロック７０’によりグループ化された同色系のマーク画像毎に編集要求を受け付けるようにＬＣＤ／タッチパネル４８’が制御される。上述のステップＦ７で編集要求が有った場合は、ステップＦ８に移行して制御手段１５は、図８に示したカラーマーカー編集画面Ｐ１を表示するようにＬＣＤ／タッチパネル４８’を制御する。
【０１２１】
その後、ステップＦ９で制御手段１５は、カラーマーカー編集画面Ｐ１上でグループ＃１、＃２、＃３毎に色の指定を受け付けるように操作表示ブロック８０を制御する。例えば、操作パネル４８の表示部１８’は、マーク画像に関する色に関して予め準備された、黄色、橙色、赤色、紫色、青色、水色、黄緑色、緑色等のカラーバーＣＢをカラーマーカー編集画面Ｐ１上にポップアップ表示するようになされる。
【０１２２】
ユーザは、これらのカラーバーＣＢの中から任意の色を選択するように操作パネル４８を操作する。これにより、グルーピングされたマーカー部分を色グループ毎に指定することができる。ユーザは、より簡単にマーカーの削除、元文書の補間、マーカーの色変換等といった編集処理をすることができる。その後、ステップＦ１２に移行する。なお、上述のステップＦ７で編集要求が無かった場合は、ステップＦ１２に移行する。
【０１２３】
また、上述のステップＦ３でノーマル処理モードが設定された場合は、ステップＦ１０に移行して制御手段１５は、スタートキーＫ１又はストップキーＫ２の押下によって更に制御を分岐する。スタートキーＫ１が押下された場合は、ステップＦ１１に移行してスキャナ本体１１ａを制御して原稿３０を読み取る。
【０１２４】
その後、ステップＦ１２に移行して、制御手段１５は、画像形成手段６０を制御して画像形成処理を実行する。このとき、画像処理ブロック７０’では、画像Ｉ／Ｆコントローラ７４の制御を受けて、画像メモリ７６から読み出したＲＧＢ色系の画像データＤoutが色変換部７７によってＹ，Ｍ，Ｃ，Ｋ色系の画像データに色変換処理される。色変換後のＹ，Ｍ，Ｃ，Ｋ色用の画像データＤｙ、Ｄｍ、Ｄｃ、Ｄｋは、画像処理コントローラ７５の制御を受けて画像形成手段６０へ転送される。
【０１２５】
画像形成手段６０では、図６に示した画像形成ユニット１０Ｙが、Ｙ色用の画像データＤｙに基づいてＹ色画像を感光体ドラム１Ｙに形成する。画像形成ユニット１０Ｍは、Ｍ色用の画像データＤｍに基づいてＭ色画像を感光体ドラム１Ｍに形成する。画像形成ユニット１０Ｃは、Ｃ色用の画像データＤｃに基づいてＣ色画像を感光体ドラム１Ｃに形成する。
【０１２６】
画像形成ユニット１０Ｋは、ＢＫ色用の画像データＤｋに基づいてＢＫ色画像を感光体ドラム１Ｋに形成する。感光体ドラム１Ｙ〜１Ｋに形成された各色画像は、中間転写ベルト６に転写される。中間転写ベルト６に転写された色画像は、給紙カセットから繰り出された所定の用紙Ｐに転写され、定着装置１７で定着された後に排紙される。
【０１２７】
そして、ステップＦ１４で制御手段１５は、当該画像形成処理に係るページが最終ページか否かを判別する。当該画像形成処理に係るページが最終ページでない場合は、ステップＦ１３に戻って画像形成処理を繰り返すようになされる。画像形成処理に係るページが最終ページである場合は、ステップＦ１５に移行する。なお、画像形成枚数（プリント枚数）は、図示しないカウンタによりカウントされる。
【０１２８】
なお、ステップＦ４及びステップＦ１０でいずれもストップキーＫ２が押下された場合は、ステップＦ１５に移行する。ステップＦ１５で制御手段１５は、当該画像形成処理に関して終了判断をする。例えば、制御手段１５は、電源オフ情報を検出して画像形成処理を終了する。電源オフ情報が検出されない場合は、ステップＦ１に戻って上述した処理を繰り返すようになされる。
【０１２９】
このように、本発明に係る第２の実施例としてのカラー複写機２００によれば、本発明に係るカラースキャナ１００が応用されるので、白黒文書中に複数の色付きマーク画像を含む原稿３０を読み取って画像を形成する場合に、スキャンして得た原稿画像データＤoutのカラー部分について、制御手段１５は、操作パネル４８によって受け付けられた編集要求に基づいて画像処理ブロック７０’及び画像形成手段６０を制御するようになる。
【０１３０】
従って、色付きマーク画像データＤｒ、Ｄｇ、Ｄｂを予めグループ化した同色系のマーク画像毎に当該マーク画像の削除、元文書の補間、マーク画像の色変換等といった各種編集処理を行うことができ、編集処理後の画像データＤinに基づいてカラー画像を形成することができる。これにより、モノクロ文書に係るマーカー編集機能を有したカラー複写機２００を提供することができる。
【０１３１】
また、第２の実施例において、他の複合機やスキャナから通信手段１９を通じて受信し、ここで受信した原稿画像データＤin’を画像処理ブロック７０’で編集処理をし、画像処理ブロック７０’で編集処理した後の原稿画像データＤｙ、Ｄｍ、Ｄｃ、Ｄｋに基づいて所定の用紙Ｐにカラー画像を形成するようにしてもよい。反対に、画像処理ブロック７０’で編集処理した後の原稿画像データＤｙ、Ｄｍ、Ｄｃ、Ｄｋ及びグループ情報Ｄgpを外部の複合機やプリンタ等に転送するようにしてもよい。外部の複合機やプリンタ等においても、マーク画像毎に受け付けられた編集要求に基づいて、当該マーク画像の削除、元文書の補間、マーク画像の色変換等といった編集処理を実行できるようになる。
【０１３２】
なお、この実施例では、ＲＧＢ色系の原稿画像データＤinをＲＧＢ色座標系の色空間に展開する場合について説明したが、これに限られることはなく、ＲＧＢ色座標系以外の色空間、例えば、Ｌａｂ色座標系又はＬｕｖ色座標系の色空間にＲＧＢ色系の原稿画像データＤinを展開してマーク画像情報を抽出するようにしてもよい。
【０１３３】
また、画像形成手６０に関して、感光体ドラム１Ｙ，１Ｍ，１Ｃ，１ＫにＹ色、Ｍ色、Ｃ色及びＢＫ色のトナー像を形成する画像形成ユニット１０Ｙ，１０Ｍ，１０Ｃ，１０Ｋと、これらの各色用の感光体ドラム１Ｙ，１Ｍ，１Ｃ，１Ｋに形成されたトナー像を転写する中間転写ベルト６とを有する場合について説明したが、これに限られることはなく、本発明は、１つの転写材搬送ベルト上に色を重ね合わせて色画像を転写紙に形成するカラー複写機にも適用することができる。
【産業上の利用可能性】
【０１３４】
この発明は、白黒文書中に複数の色付きマーク画像を含む原稿を読み取って画像を編集する機能を有するタンデム型のカラープリンタやカラー複写機、これらの複合機等に適用して極めて好適である。
【図面の簡単な説明】
【０１３５】
【図１】本発明の第１の実施例としてのカラースキャナ１００の構成例を示す概念図である。
【図２】白黒文書中に複数の色付きマーク画像を含む原稿例を示す図である。
【図３】（Ａ）及び（Ｂ）は、原稿画像データＤinのＲＧＢ色座標系への展開例を示す図である。
【図４】カラースキャナ１００における原稿読取編集例を示すフローチャートである。
【図５】画像処理手段におけるグループ化処理例を示すフローチャートである。
【図６】本発明に係る第２の実施例としてのカラー複写機２００の構成例を示す断面の概念図である。
【図７】カラー複写機２００の制御系の構成例を示すブロック図である。
【図８】操作パネル４８におけるカラーマーカー編集画面Ｐ１の表示例を示す概念図である。
【図９】カラー複写機２００における画像処理例（その１）を示すフローチャートである。
【図１０】カラー複写機２００における画像処理例（その２）を示すフローチャートである。
【符号の説明】
【０１３６】
１Ｙ，１Ｍ，１Ｃ，１Ｋ  感光体ドラム（像形成体）
３Ｙ，３Ｍ，３Ｃ，３Ｋ  画像書込みユニット（画像形成手段）
４Ｙ，４Ｍ，４Ｃ，４Ｋ  現像装置（画像形成手段）
６  中間転写体（像形成体）
１０Ｙ，１０Ｍ，１０Ｃ，１０Ｋ  画像形成ユニット（画像形成手段）
１１ａ  スキャナ本体
１４  操作手段
１５  制御手段
１７  定着装置
１８  表示手段
１８’  表示部
１９  通信手段
２０  給紙手段
４０  自動原稿給紙装置（ＡＤＦ）
４８  操作パネル
４８’ＬＣＤ／タッチパネル
６０  画像形成手段
７０’画像処理ブロック
７１  読取処理部
７２  メモリ部
７３  比較判定部
７７  色変換部
８０  操作表示ブロック
１００  カラースキャナ
１０１  複写機本体
２００  カラー複写機
【図１】
2005210494.tif 000003
【図２】
2005210494.tif 000004
【図３】
2005210494.tif 000005
【図４】
2005210494.tif 000006
【図５】
2005210494.tif 000007
【図６】
2005210494.tif 000008
【図７】
2005210494.tif 000009
【図８】
2005210494.tif 000010
【図９】
2005210494.tif 000011
【図１０】
2005210494.tif 000012